(57)【要約】【課題】  植物を生育しながら植物栽培体が良く形を保てることや植物栽培体の根部周囲の造形美などをも観賞すること、植物栽培体の根部周囲に動物の目などを自由に取付けられることである。【解決手段】  球状苔１の中心部に植物２の根部３を設けて、この球状苔１の周囲に糸を巻付けて固定成形し、更にこの球状苔固定成形体１′の正面側に動物の目５などを止着して設けた植物栽培体６である。【選択図】  図１
0003105433.tif 000002
【実用新案登録請求の範囲】
【請求項１】
球状苔の中心部に植物の根部を設けるとともに該球状苔の周囲に糸をやや強く巻付けて固定成形し、該球状苔固定成形体の正面側に人造の目を止着して設けてなる植物栽培体。
【請求項２】
球状苔固定成形体が、球状苔固定成形体より突出した苔を切断して球状苔固定成形体の表面を整形してなる請求項１記載の植物栽培体。
【請求項３】
球状苔固定成形体が、正面側に人造の鼻を止着して設けてなる請求項１記載の植物栽培体。
【請求項４】
人造の目が、着色した目であるとともに人造の目の裏側に固定した止め具で球状苔固定成形体に差込み止着してなる請求項１記載の植物栽培体。
【考案の詳細な説明】
【技術分野】
【０００１】  この考案は、根付き植物の根部を球状苔の中心部に設けた植物栽培体に係わるものである。
【背景技術】
【０００２】  従来の植物栽培体は、卓上、玄関、風呂場、トイレ、庭などに植木鉢の中に根付き植物の根部を土などとともに入れたものが一般に使用されている。【０００３】  この従来の植木鉢を使用した植物栽培体では、卓上などの室内、庭などの屋外に置く際に植物の根部の周囲は土と植木鉢で被覆されているので、植物の根部の周囲は動物の目などを自由に取付けることができないという問題点があったし、装飾をも兼ねた置物としてはあまり綺麗ではないという問題点があった。
【特許文献１】  特開２００３−２３５３５９
【考案の開示】
【考案が解決しようとする課題】
【０００４】  この考案は、従来の植木鉢を使用した植物栽培体が有するこれらの問題点を解消することであり、植物を生育しながら植物栽培体が良く形を保てることや植物の枝葉などを観賞することとともに植物栽培体の根部周囲の造形美などをも観賞すること、植物栽培体の根部周囲に動物の目などを自由に取付けられることなどである。
【問題を解決するための手段】
【０００５】  この考案の植物栽培体は、球状苔の中心部に植物の根部を設けて、この球状苔の周囲に糸を巻付けて固定成形し、更にこの球状苔固定成形体の正面側に動物の目などを止着して設けたものである。
【考案の効果】
【０００６】  この考案の植物栽培体は、球状苔の中心部に植物の根部を設けて、この球状苔の周囲に糸を巻付けて固定成形し、更にこの球状苔固定成形体の正面側に動物の目などを止着して設けたから、植物栽培体は糸で固定成形してあるために苔製であるにも拘らず球状形を良く保てることができるとともに苔製植物栽培体は水などを良く保有することができるために植物の生育に必要な水などを球状苔から植物の根に供給することができる。この植物栽培体を卓上、玄関、風呂場、トイレ、庭などに置く際に、装飾皿や育成ポットの上に置いて使用することにより植物の枝葉などを観賞できると同時に植物栽培体の根部周囲は苔製球状形であることと苔特有の緑色又は茶色などの色彩を有するので造形美と色彩を観賞できる。更に球状苔固定成形体の正面側に動物の目などを簡単に取付けることができるとともに前記の造形美と色彩に合わせて動物の目などにより綺麗な植物栽培体にすることができるという効果がある。
【０００７】  請求項２の植物栽培体においては、球状苔固定成形体より突出した苔を切断して球状苔固定成形体の表面を整形したから、植物栽培体の表面が整形したために外観が綺麗な植物栽培体にすることができる。
【０００８】  請求項３の植物栽培体においては、正面側に人造の鼻を止着して設けたから、植物栽培体に鼻と目を有するために外観が綺麗な植物栽培体にすることができる。
【０００９】  請求項４の植物栽培体においては、人造の目を着色した目であるとともに人造の目の裏側に固定した止め具で球状苔固定成形体に差込み止着したから、動物の目の裏側に固定した止め具を柔らかい球状苔固定成形体に差込むことにより人造の目を所定の任意の位置に簡単に止着することができるし、止着した人造の目を簡単に取外すことができる。更に取外した人造の目を球状苔固定成形体の任意の位置に再び止着することができる。
【考案を実施するための最良の形態】
【００１０】  植物栽培体は、球状苔の中心部に植物の根部を設けて、この球状苔の周囲に糸をやや強く巻付けて固定成形し、更にこの球状苔固定成形体の表面より突出した苔を切り落とすとともに正面側に人造の動物などの目などを止着して設けたものである。
【実施例１】
【００１１】  図１に図示したように、球状苔１の中心部に植物２の根部３を設け、この球状苔１の周囲に、球状苔１を加圧しながら糸４を球状苔１を、所定の間隔でやや強く巻付けて球状苔１を固定成形してこの球状苔固定成形体１′の表面より突出した苔を鋏などで切り落して表面を整形し、球状苔固定成形体１′の正面側に人造の動物などの目５，５を止着して設けてなる植物栽培体６である。この植物栽培体６に設けた目５は図２に図示のように、目の裏側に固定した雄ネジ５″を有する止め具５′を設け、この目５の止め具５′を球状苔固定成形体に雄ネジ５″を回転しながら差込み強固に止着する。なお、苔は水苔、山苔などのように保水性を有するものがよい。【００１２】  この実施例１の植物栽培体６は、装飾皿や育成ポットの上に載せ、卓上、玄関、風呂場、トイレ、庭などに置いて使用する。その際に植物栽培体を１日乃至２日おきに１時間位水に漬けたり、時々水を植物栽培体の上に掛けたりなどして水を植物栽培体と植物に補給する。なお、植物は蔦などのつる性植物、観葉植物、花が咲く植物などがよい。
【実施例２】
【００１３】  図３に図示したように、この実施例１と同様にした植物栽培体１６に着色などした目１５，１５そして口１７と髪１８を止着して設けてなる植物栽培体１６である。この植物栽培体１６に設けた口１７は図４に図示のように、所定の形状にした針金又は合成樹脂で造り、その両端部を裏側に突出した止め部１７′を有し、この口１７の止め部１７′を球状苔固定成形体に差込んで止着し、髪１８は所定の色に着色した合成樹脂繊維、布などであり、この髪の両端部で逆Ｕ字形のピン１８′をそれぞれ球状苔固定成形体に差込んで止着する。
【実施例３】
【００１４】  図５に図示したように、この実施例１と同様にした植物栽培体２６に目２５，２５そして鼻２７と耳２８を止着して設けてなる植物栽培体２６である。【００１５】  この考案の植物栽培体の造り方を説明すると次のとおりである。
チリ国などの外国産や国内産で乾燥して圧縮した水苔を先ず水に漬けて、水苔に水を吸収させる。水を吸収させた水苔を所定量だけ手で取り、水を絞った水苔３１を図６に図示のように、断面円形棒３０と手で椀形に成形し、この椀形の苔の窪み３２に根付き植物３３の根部３３′を挿入する（図７図示）とともに肥料、発根剤、保水材を挿入し、必要に応じて水苔、土を挿入して椀形の苔を手で「おにぎり」を造る時と同様にして手で直径６０ｍｍ位の球状苔３４に成形する。
次に、この球状苔３４を垂直方向に対して約２０度傾斜して（図８図示）球状苔を加圧しながら球状苔３４に糸３５を第１周目をやや強く巻いてから球状苔３４を水平方向に約１０度回転しながら球状苔を加圧しながら球状苔３４に次の２周目以下の糸をやや強く巻くことを繰返して巻付けた後に糸３５の先端部と後端部とを結ぶなどして固定して球状苔固定成形体にし（図９図示）、この球状苔固定成形体の正面側に前記と同様にして動物などの目を止着して図１図示の植物栽培体を造る。
【図面の簡単な説明】
【００１６】
【図１】  本考案品の正面図である。
【図２】  部品の拡大側面図である。
【図３】  別の本考案品の正面図である。
【図４】  部品の拡大平面図である。
【図５】  他の本考案品の正面図である。
【図６】  造る時の断面図である。
【図７】  同じく断面図である。
【図８】  同じく正面図である。
【図９】  同じく糸の巻付け方を示す平面図である。
【符号の説明】
【００１７】１    球状苔
１′  球状苔固定成形体
２    植物
３    根部
４    糸
５    目
６    植物栽培体
【図１】
0003105433.tif 000003
【図２】
0003105433.tif 000004
【図３】
0003105433.tif 000005
【図４】
0003105433.tif 000006
【図５】
0003105433.tif 000007
【図６】
0003105433.tif 000008
【図７】
0003105433.tif 000009
【図８】
0003105433.tif 000010
【図９】
0003105433.tif 000011